【手続補正書】
【提出日】平成24年8月10日(2012.8.10)
【手続補正１】
【補正対象書類名】明細書
【補正対象項目名】００４０
【補正方法】変更
【補正の内容】
【００４０】
以下に本発明の実施例１〜４に対応する数値実施例１〜４を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉは第ｉ番目の光学部材の屈折率とアッベ数である。最後の３つの面は、フィルター等のガラスブロックである。非球面形状は光軸方向にＸ軸、光軸と垂直方向にＨ軸、光の進行方向を正とし、Ｒを近軸曲率半径、ｋを円錐常数、Ａ３、Ａ４、Ａ５、Ａ６、Ａ７、Ａ８、Ａ９、Ａ１０、Ａ１１、Ａ１２をそれぞれ非球面係数としたとき、次式で表している。又、例えば「ｅ−Ｚ」は「×１０-Z」を意味する。＊印は非球面であることを示している。ＢＦはバックフォーカスであり、最終レンズ面から像面までの距離を空気換算長で表わしたものである。レンズ全長は最も物体側のレンズ面から最終レンズ面までの距離にバックフォーカスを加えたものである。各実施例と前述した条件式との対応を表１に示す。
【手続補正２】
【補正対象書類名】明細書
【補正対象項目名】００４２
【補正方法】変更
【補正の内容】
【００４２】
［数値実施例１］
面データ
面番号       r        d      nd         νd       有効径
1       -332.526    1.80   1.90200    25.1       76.53
2        524.636    5.84                         75.14
3       -272.645    1.80   1.72047    34.7       74.42
4        119.340    0.12                         73.71
5        119.387   13.93   1.43875    95.0       73.78
6       -118.750    8.04                         74.03
7       1839.222    5.81   1.43875    95.0       73.20
8       -156.962    0.15                         73.09
9        129.687    8.48   1.59240    68.3       71.91
10       -369.251    0.15                         71.70
11         62.991    8.08   1.77250    49.6       67.86
12        163.572  (可変)                         66.72
13*       228.519    0.70   1.88300    40.8       26.83
14         16.139    5.93                         22.17
15       -162.360    6.59   1.80518    25.4       21.70
16        -15.005    0.70   1.75500    52.3       21.31
17         27.315    0.68                         19.68
18         22.172    5.61   1.60342    38.0       19.88
19        -39.636    0.88                         19.33
20        -24.853    0.70   1.83481    42.7       19.21
21       -134.693  (可変)                         19.68
22        -28.312    0.70   1.74320    49.3       22.52
23         46.740    2.80   1.84666    23.8       24.99
24      -2634.956  (可変)                         25.48
25(絞り)    ∞       1.30                         29.38
26        363.155    4.88   1.65844    50.9       30.81
27        -34.292    0.15                         31.18
28         78.344    3.20   1.51823    58.9       31.81
29      -1293.355    0.15                         31.71
30         79.771    7.00   1.51633    64.1       31.49
31        -31.873    1.80   1.83400    37.2       31.21
32       -345.747   35.20                         31.35
33         52.089    5.88   1.48749    70.2       30.29
34        -49.909    1.67                         30.00
35        -88.953    1.80   1.83481    42.7       28.00
36         28.616    6.25   1.51742    52.4       27.30
37       -108.754    3.17                         27.53
38         89.432    6.93   1.48749    70.2       27.77
39        -29.788    1.80   1.83400    37.2       27.59
40       -123.485    0.18                         28.20
41         53.971    4.90   1.51633    64.1       28.39
42        -82.923    4.50                         28.13
43          ∞      30.00   1.60342    38.0       40.00
44          ∞      16.20   1.51633    64.2       40.00
45          ∞       7.50                         40.00
像面        ∞
非球面データ
第13面
K = 8.58860e+000   A 4= 7.05382e-006  A 6=-1.80303e-008
A 8= 7.49637e-011  A10=-8.01854e-013  A12= 5.80206e-015
A 3=-4.50041e-007  A 5= 1.66019e-008  A 7=-8.87373e-010
A 9= 1.99340e-011  A11=-1.17115e-013
各種データ
ズーム比     20.00
焦点距離       8.20    16.40    33.29   109.33   164.00
Fナンバー      1.80     1.80     1.80     1.87     2.73
画角          33.85    18.54     9.38     2.88     1.92
像高           5.50     5.50     5.50     5.50     5.50
レンズ全長   267.97   267.97   267.97   267.97   267.97
BF            41.33    41.33    41.33    41.33    41.33
d12            1.17    22.84    37.62    51.83    54.42
d21           55.34    30.57    13.32     2.39     4.78
d24            4.40     7.50     9.97     6.69     1.71
入射瞳位置    48.84    93.36   167.10   410.71   541.88
射出瞳位置   348.87   348.87   348.87   348.87   348.87
前側主点位置  57.24   110.54   203.64   555.06   784.67
後側主点位置  -0.70    -8.90   -25.80  -101.84  -156.50
ズームレンズ群データ
群  始面    焦点距離  レンズ構成長  前側主点位置  後側主点位置
1    1      67.24        54.20        37.71          5.78
2   13     -13.70        21.79         2.66        -11.33
3   22     -42.20         3.50        -0.07         -1.98
4   25      64.97       136.94        74.63       -153.22
【手続補正３】
【補正対象書類名】明細書
【補正対象項目名】００４３
【補正方法】変更
【補正の内容】
【００４３】
［数値実施例２］
面データ
面番号       r        d      nd         νd       有効径
1       -321.282    1.80   1.80000    29.8       77.09
2        155.978    0.27                         74.59
3        148.778    5.00   1.43387    95.1       74.52
4        939.166    1.64                         74.28
5       7215.908    1.80   1.80000    29.8       73.96
6        142.263    1.56                         72.80
7        181.560   11.04   1.43387    95.1       72.86
8       -127.642   10.88                         72.96
9      -2147.703    4.17   1.43387    95.1       71.20
10       -253.410    0.15                         71.03
11        146.659    8.29   1.59240    68.3       71.37
12       -222.853    0.15                         71.31
13         59.292    7.70   1.77250    49.6       67.36
14        152.159  (可変)                         66.69
15*       228.519    0.70   1.88300    40.8       27.77
16         16.263    5.43                         22.82
17      -10264.248    6.59   1.80518    25.4       22.54
18        -15.549    0.70   1.75500    52.3       22.13
19         25.590    0.68                         20.01
20         20.925    5.61   1.60342    38.0       20.17
21        -53.448    1.38                         19.48
22        -24.853    0.70   1.83481    42.7       19.20
23       -134.693  (可変)                         19.56
24        -28.312    0.70   1.74320    49.3       22.53
25         46.740    2.80   1.84666    23.8       25.00
26      -2634.956  (可変)                         25.48
27(絞り)    ∞       1.30                         29.39
28        394.928    5.18   1.65844    50.9       30.80
29        -33.348    0.15                         31.26
30         74.155    3.20   1.51823    58.9       31.80
31       3654.252    0.15                         31.67
32         83.980    7.00   1.51633    64.1       31.46
33        -31.528    1.50   1.83400    37.2       31.16
34       -336.280   35.20                         31.30
35         38.818    6.68   1.48749    70.2       30.21
36        -49.746    1.67                         29.82
37        -75.132    1.80   1.83481    42.7       27.57
38         27.229    6.15   1.51742    52.4       26.68
39       -399.526    2.67                         26.88
40        180.001    6.83   1.48749    70.2       27.19
41        -24.173    1.80   1.83400    37.2       27.22
42        -51.301    0.18                         28.26
43         58.679    4.80   1.51633    64.1       28.27
44       -104.601    4.50                         27.91
45          ∞      30.00   1.60342    38.0       40.00
46          ∞      16.20   1.51633    64.2       40.00
47          ∞       7.50                         40.00
像面        ∞
非球面データ
第15面
K = 8.58860e+000   A 4= 7.05382e-006  A 6=-1.80303e-008
A 8= 7.49637e-011  A10=-8.01854e-013  A12= 5.80206e-015
A 3=-4.50041e-007  A 5= 1.66019e-008  A 7=-8.87373e-010
A 9= 1.99340e-011  A11=-1.17115e-013
各種データ
ズーム比     20.00
焦点距離       8.20    16.40    33.29   109.33   164.00
Fナンバー      1.80     1.80     1.80     1.87     2.73
画角          33.85    18.54     9.38     2.88     1.92
像高           5.50     5.50     5.50     5.50     5.50
レンズ全長   268.50   268.50   268.50   268.50   268.50
BF            41.33    41.33    41.33    41.33    41.33
d14            0.53    22.20    36.98    51.19    53.78
d23           56.24    31.47    14.23     3.29     5.68
d26            4.40     7.50     9.97     6.69     1.71
入射瞳位置    49.27    93.79   167.53   411.14   542.31
射出瞳位置   332.44   332.44   332.44   332.44   332.44
前側主点位置  57.68   111.02   204.24   557.26   789.08
後側主点位置  -0.70    -8.90   -25.80  -101.84  -156.50
ズームレンズ群データ
群  始面    焦点距離  レンズ構成長  前側主点位置  後側主点位置
1    1      67.24        54.47        38.14          5.59
2   15     -13.70        21.79         3.10        -10.42
3   24     -42.20         3.50        -0.07         -1.98
4   27      65.91       136.94        76.20       -155.53
【手続補正４】
【補正対象書類名】明細書
【補正対象項目名】００４４
【補正方法】変更
【補正の内容】
【００４４】
［数値実施例３］
面データ
面番号       r        d      nd         νd       有効径
1       -156.710    2.00   1.72047    34.7       88.52
2        126.311    3.19                         82.79
3        148.734    5.82   1.43875    95.0       82.48
4        567.137    0.40                         82.08
5        276.593    2.00   2.10446    17.1       81.43
6        116.332    0.00                         79.53
7        116.332   16.37   1.49700    81.5       79.53
8       -110.799    8.99                         79.71
9        155.999    5.15   1.59240    68.3       78.64
10        626.005    0.15                         78.33
11        121.931   10.16   1.70000    48.1       76.82
12       -263.541    0.15                         76.32
13         49.218    6.20   1.83481    42.7       63.39
14         85.248  (可変)                         62.65
15*       143.379    1.00   1.88300    40.8       28.33
16         14.990    5.56                         21.61
17        -67.291    7.22   1.80809    22.8       21.49
18        -12.199    0.75   1.88300    40.8       20.38
19         28.461    0.60                         18.47
20         23.739    5.13   1.63980    34.5       18.61
21        -36.481    2.69                         18.09
22        -16.019    0.75   1.81600    46.6       16.93
23        -24.425  (可変)                         17.23
24        -20.647    0.75   1.75500    52.3       16.28
25        154.228    2.93   1.84649    23.9       20.90
26        -78.885  (可変)                         21.60
27(絞り)    ∞       1.34                         25.28
28        538.417    4.44   1.67003    47.2       25.74
29        -31.174    0.20                         27.10
30         62.452    3.88   1.50127    56.5       27.90
31       -226.896    0.15                         27.80
32        125.628    5.71   1.50127    56.5       27.50
33        -29.646    1.20   1.88300    40.8       27.10
34      -1686.338   46.64                         27.10
35         57.525    7.01   1.51633    64.1       26.90
36        -38.749    0.47                         23.54
37        -69.664    1.40   1.83400    37.2       22.69
38         20.495    7.23   1.48749    70.2       22.13
39        227.801    0.61                         23.38
40         37.446    5.48   1.50127    56.5       24.56
41        -38.416    1.40   1.83481    42.7       24.66
42       -103.245    0.15                         25.15
43         40.048    4.54   1.51633    64.1       25.55
44        -97.950    4.00                         25.31
45          ∞      33.00   1.60859    46.4       23.57
46          ∞      13.20   1.51633    64.2       40.00
47          ∞       5.79                         40.00
像面        ∞
非球面データ
第15面
K = -4.98064e+002  A 4= 3.14859e-005  A 6=-3.27331e-007
A 8=-1.45370e-009  A10=-1.93067e-011  A12= 4.84910e-014 
A 3= 8.91291e-006  A 5= 1.87330e-006  A 7= 9.07873e-010
A 9= 4.49930e-010  A11=-8.01597e-013
各種データ
ズーム比     20.00
焦点距離       7.00    17.50    35.00    63.00   140.00 
Fナンバー      1.90     1.90     1.90     1.90     2.43
画角          38.16    17.45     8.93     4.99     2.25 
像高           5.50     5.50     5.50     5.50     5.50 
レンズ全長   268.86   268.86   268.86   268.86   268.86 
BF            38.96    38.96    38.96    38.96    38.96 
d14            0.96    21.96    31.72    37.19    41.38 
d23           40.45    15.87     5.20     2.00     7.23 
d26            8.65    12.24    13.15    10.88     1.46 
入射瞳位置    48.53   104.16   180.24   287.22   525.01 
射出瞳位置    84.00    84.00    84.00    84.00    84.00 
前側主点位置  56.16   125.57   230.90   400.96   915.61 
後側主点位置  -1.21   -11.71   -29.21   -57.21  -134.21 
ズームレンズ群データ
群  始面    焦点距離  レンズ構成長  前側主点位置  後側主点位置
1    1      53.00        60.59        36.96          4.17
2   15     -12.16        23.72         2.53        -13.62
3   24     -40.86         3.68        -0.90         -2.97
4   27     149.70       142.05       236.08       -325.18
【手続補正５】
【補正対象書類名】明細書
【補正対象項目名】００４５
【補正方法】変更
【補正の内容】
【００４５】
［数値実施例４］
面データ
面番号       r        d      nd         νd       有効径
1       -155.833    2.20   1.80100    35.0       78.36
2        245.932    6.67                         75.10
3       13317.833    2.20   1.84666    23.8       73.82
4        112.751   12.47   1.43875    95.0       72.35
5       -172.062    0.15                         72.60
6        396.107    9.96   1.43387    95.1       73.22
7       -105.572    5.39                         73.26
8        114.110    9.04   1.72916    54.7       69.30
9       -256.562    0.15                         68.71
10         54.825    6.05   1.78800    47.4       62.45
11        103.504  (可変)                         61.61
12         51.789    1.00   1.83481    42.7       31.55
13         15.910    6.61                         24.93
14       -400.917    6.84   1.80809    22.8       24.62
15        -17.072    0.75   1.83481    42.7       23.76
16         31.672    0.30                         21.17
17         19.845    6.28   1.60342    38.0       21.08
18        -32.634    1.00                         20.28
19        -25.408    0.75   1.83489    42.6       18.99
20        102.231  (可変)                         18.28
21        -22.336    0.75   1.75500    52.3       15.30
22         31.032    2.52   1.84649    23.9       16.72
23        470.386  (可変)                         17.28
24(絞り)    ∞       1.34                         24.01
25       -513.754    4.44   1.67003    47.2       24.91
26        -29.491    0.15                         25.66
27         55.051    3.88   1.51633    64.1       26.31
28        186.478    0.15                         26.12
29         61.856    5.71   1.50127    56.5       26.09
30        -32.834    1.20   1.88300    40.8       25.82
31       -336.685  (可変)                         25.98
32         55.061    6.20   1.48749    70.2       26.60
33        -42.524    0.15                         26.23
34       -106.356    1.40   1.83400    37.2       25.37
35         23.054    4.74   1.51633    64.2       24.28
36       -199.026    0.86                         24.30
37         44.732    6.26   1.51742    52.4       24.92
38        -22.898    1.40   1.88300    40.8       24.88
39       -243.333    0.15                         25.85
40         66.393    4.71   1.51742    52.4       26.38
41        -36.700  (可変)                         26.42
42          ∞      33.00   1.60859    46.4       40.00
43          ∞      13.20   1.51633    64.2       40.00
44          ∞       8.50                         40.00
像面        ∞
各種データ
ズーム比     16.85
焦点距離       8.00    13.61    29.55    59.74   134.79 
Fナンバー      1.90     1.90     1.90     1.90     2.50
画角          34.51    22.00    10.54     5.26     2.34 
像高           5.50     5.50     5.50     5.50     5.50 
レンズ全長   250.44   250.44   250.44   250.44   250.44 
BF            42.92    41.73    41.02    41.29    40.39 
d11            0.70    14.94    29.31    37.91    43.74 
d20           41.44    25.03     8.90     1.98     3.57 
d23            8.55    10.72    12.48    10.79     3.38 
d31           33.00    34.19    34.90    34.63    35.54 
d41            5.26     4.07     3.35     3.63     2.72 
入射瞳位置    48.74    76.75   139.36   232.64   409.07 
射出瞳位置   259.33   231.24   217.46   222.51   206.70 
前側主点位置  57.00    91.19   173.08   309.06   635.53 
後側主点位置   0.50    -5.11   -21.05   -51.25  -126.29 
ズームレンズ群データ
群  始面    焦点距離  レンズ構成長  前側主点位置  後側主点位置
1    1      56.83        54.28        36.40          7.74
2   12     -14.39        23.53         5.67         -8.29
3   21     -30.56         3.27         0.06         -1.72
4   24      34.74        16.87         2.69         -8.22
5   32      47.76        25.87        12.68         -6.01
6   42       ∞          46.20        14.58        -14.58